(57)【要約】【課題】  入力の音声信号を二つに分岐させ、その一方をスピーカ又は／及びヘッドホン用の第一の増幅手段の側に接続し、他方をヘッドホン用の第二の増幅手段の側に接続する構成の音声信号加工装置において、第二の増幅手段の操作を行っている際であっても第一の増幅手段の側への音声信号に変動が生じないようにすることを目的とする。【解決手段】  入力されて来る音声信号の分岐点２とヘッドホン３２用の第二の増幅手段６の間に、分岐点２からの音声信号を加工しても分岐点２から第一の増幅手段５の側への音声信号に影響を回避し得るためのバッファ４を介在させて構成した。【選択図】  図１
2006121595.tif 000002
【特許請求の範囲】
【請求項１】
入力される音声信号が分岐点で二つに分岐され、その分岐された音声信号の一方は、スピーカ又は／及びヘッドホンへの音声信号を増幅する第一の増幅手段の側に、他方は、ヘッドホンへの音声信号を増幅する第二の増幅手段の側にそれぞれ接続され、且つ、前記分岐点と前記第二の増幅手段の間に、その第二の増幅手段が操作されている際においても前記分岐点から前記第一の増幅手段の側への音声信号のインピーダンスを一定に保ち得るバッファ若しくは増幅手段が介在されてなる音声信号加工装置。
【発明の詳細な説明】
【技術分野】
【０００１】
この発明は、入力されて来る音声信号が分岐点で二つに分岐され、一方はスピーカ又は／及びヘッドホンへの音声信号を増幅する第一の増幅手段の側に、他方はヘッドホンへの音声信号を増幅する第二の増幅手段の側にそれぞれ接続される構成の音声信号加工装置に関する。
【０００２】
特に、この発明は、前記第二の増幅手段を操作する際であっても、前記第一の増幅手段の側で得られる音声信号が安定して出力される音声信号加工装置に関する。
【背景技術】
【０００３】
再生された可聴音声を高度に大切にするリスナー、所謂オーディオマニアは、音声信号に僅かでも変動があるとその変動のある音声信号から再生された音声を聴き取って、快くないものとして感じることになる。
他方、今日では、一つの音声信号に対して、スピーカ又は／及びヘッドホンで再生音声を聴くことに加えて、モニターとして前記一つの音声信号を再生して他のヘッドホンで聴くということが行われている。
【０００４】
非特許文献として、一つの入力の音声信号を二つに分岐し、その分岐されて得た音声信号をそれぞれ独立して増幅等の加工を行って音声で聴くものとして、従来、図２で示される技術が知られている。
つまり、音声信号加工装置１ａは、一つの入力されて来る音声信号が、分岐点２ａにおいて主経路（スピーカ３１ａ用）の増幅手段５ａとヘッドホン３２ａ用の増幅手段６ａの側に分岐される。
【発明の開示】
【発明が解決しようとする課題】
【０００５】
上記の従来の音声信号加工装置１ａは、増幅手段６ａでボリューム１０ａを操作して音声信号に対して増幅操作を行うと、つまり、ヘッドホンへの音声信号について増幅の操作を行うと、ソースが同じ音声信号を受けている増幅手段５ａからの音声信号に微小な変動（出力変化）を与えることになる。
よって、スピーカ３１ａからの音声は、極く僅かであるが聴く者に異常な感じを与えていた。
【０００６】
この変動は、ソースの音声信号に係る出力インピーダンスに対する増幅手段６ａに係る負荷インピーダンスが意味を持つことになるが、増幅手段６ａに係る負荷インピーダンスを遥かに大きく設定しておくと問題のないものと見なし得ることが知られている。
よって、例えば、増幅手段５ａの出力インピーダンスを数１０オーム以下に設定し、且つ、負荷インピーダンスの合計が前記抵抗値の数百〜数千倍に設定すれば、変動分の変化は無視できる程度となって何ら問題は生じないものとされていた。
【０００７】
しかしながら、今日では、音声信号処理装置１ａを含んで構成されるオーディオシステムにおいてハイエンドの音質が強く求められることがあり、斯かるケースでは音声信号の出力を制御するために増幅手段６ａを増幅操作をすることにより分岐点２ａから増幅手段５ａへの音声信号に微小な変動が生じるが、その微小な変動さえも生じさせないようにしなければならないという要望が出て来ている。
【０００８】
この発明は、上記の事情に鑑みてなされたものであって、入力する一つの音声信号が分岐点で二つに分岐され、一方はスピーカ又は／及びヘッドホンへの音声信号を増幅する第一の増幅装置の側に、他方はヘッドホンへの音声信号を増幅する第二の増幅手段の側にそれぞれ接続される構成の音声信号加工装置において、前記第二の増幅手段の操作を行う際であっても、ソースが同じである音声信号を受けている第一の増幅装置の側の音声信号に微小な変動が生じないことを目的とする。
【課題を解決するための手段】
【０００９】
この発明は、分岐点と第二の増幅手段の間に、その第二の増幅手段が操作されている際においても前記分岐点から前記第一の増幅手段への音声信号のインピーダンスを一定に保ち得るバッファ若しくは増幅手段を介在されて構成した音声信号処理装置である。
【００１０】
その詳細な構成は、入力される音声信号が分岐点で二つに分岐され、その分岐された音声信号の一方は、スピーカ又は／及びヘッドホンへの音声信号を増幅する第一の増幅手段の側に、他方は、ヘッドホンへの音声信号を増幅する第二の増幅手段の側にそれぞれ接続され、且つ、前記分岐点と前記第二の増幅手段の間に、その第二の増幅手段が操作されている際においても前記分岐点から前記第一の増幅手段の側への音声信号のインピーダンスを一定に保ち得るバッファ若しくは増幅手段が介在されてなる音声信号加工装置である。
【００１１】
つまり、分岐点の後段で接続されるバッファ若しくは増幅手段は、入力される音声信号に対して出力される音声信号は波形が相似若しくは合同の関係にあって、音声信号の再生内容の本質は一定状態が保たれている。
【００１２】
又、バッファ若しくは増幅手段への入力前の音声信号は、高インピーダンス入力となっていて、入力側の信号系統に影響を与えることが回避可能になっている。
他方、バッファ若しくは増幅手段からの出力後の音声信号は、低インピーダンス出力となっていて、増幅手段の操作による出力側の負荷変動を吸収する構成になっている。
【発明の効果】
【００１３】
この発明は、入力音声信号を二つに分岐し、その一方を第一の増幅手段の側に、その他方を第二の増幅手段の側にそれぞれ接続し、且つ、前記分岐点と前記第二の増幅手段の間に、その第二の増幅手段を操作している際においても前記分岐点から前記第一の増幅手段への音声信号のインピーダンスを一定に保ち得るバッファ若しくは増幅手段を介在して構成したことにより、ヘッドホンの音声出力を変化させようとして第二の増幅手段を操作している際であっも、前記出力端から前記第一の増幅手段の音声信号のインピーダンスは一定であって変化が生じないから、前記第一の増幅手段で増幅され出力される音声信号、更に、スピーカ又は／及びヘッドホンからの音声に変動が生じることのない音声信号加工装置である。
【発明を実施するための最良の形態】
【００１４】
この発明を、図１及び図２に示す実施の形態例に基づき詳述する。しかし、この実施の形態例によって、この発明が限定されるものではない。
音声信号加工装置１は、分岐点２と、バッファ３，４と、増幅手段５，６が備えられている。
【００１５】
分岐点２は、入力されて来る音声信号を増幅手段５の側及び増幅手段６の側に振る分けるためのものである。
【００１６】
増幅手段５は、分岐点２の方から入力されて来る音声信号を増幅等の加工を行ってスピーカ又は／及びヘッドホンに出力するものである。
増幅手段５は、入力する音声信号の増幅を行う増幅部７と、増幅部７の増幅率を制御するボリューム８が備えられている。
【００１７】
増幅手段６は、分岐点２の方から入力されて来る音声信号を増幅等の加工を行ってヘッドホン３２に出力するものである。
増幅手段６は、入力する音声信号の増幅を行う増幅部９と、増幅部９の増幅率を制御するボリューム１０が備えられている。
【００１８】
バッファ３は、分岐点２と増幅手段５の間に介在されている。
バッファ３は、増幅手段５においてボリューム８を操作して増幅部７の増幅率を変化させている際であっても、分岐点２から増幅手段６の側への音声信号のインピーダンスを一定に保ち得るように作用するものである。
【００１９】
バッファ４は、分岐点２と増幅手段６の間に介在されている。
バッファ４は、増幅手段６においてボリューム１０を操作して増幅部９の増幅率を変化させている際であっても、分岐点２から増幅手段５の側への音声信号のインピーダンスを一定に保ち得るように作用するものである。
【００２０】
音声信号加工装置１の前段には、スーパーオーディオＣＤプレーヤ装置２１が接続されている。つまり、音声信号加工装置１は、スーパーオーディオＣＤプレーヤ装置２１からソースである音声信号を受ける構成になっている。
【００２１】
２２は回転駆動手段であり、２３はピックアップ手段であり、２４はデコーダであり、２５はＤ／Ａコンバータであり、ローパスフィルタを含む増幅手段２６である。
又、２７は、スーパーオーディオＣＤ記録媒体である。
【００２２】
音声信号加工装置１の後段には、増幅手段５の側にスピーカ３１が、増幅手段６の側にヘッドホン３２が接続されている。
【００２３】
音声信号加工装置１、及び、その前段と後段の他の装置との接続関係は、上述したように構成されている。
以下において、音声信号加工装置１が前段にスーパーオーディオＣＤプレーヤ装置２１が、後段にスピーカ３１及びヘッドホン３２がそれぞれ接続されている際の機能を説明する。
【００２４】
操作者（聴衆者）は、音声信号加工装置１と、スーパーオーディオＣＤプレーヤ装置２１、スピーカ３１及びヘッドホン３２の各接続を確認し、各装置の電源スイッチをＯＮして電力供給を行う。
ここで、所望のスーパーオーディオＣＤ記録媒体２７をスーパーオーディオＣＤプレーヤ装置２１を用いて再生を行う。
【００２５】
スーパーオーディオＣＤプレーヤ装置２１は、スーパーオーディオＣＤ記録媒体２７の再生を行って得た音声信号を音声信号加工装置１に送る。
音声信号加工装置１は、スーパーオーディオＣＤプレーヤ装置２１から送られた音声信号を分岐点２で増幅手段５の側と増幅手段６の側に振り分けられる。
【００２６】
分岐点２で振り分けられた音声信号の一方は、バッファ３に入りインピーダンス変換をされた後、増幅手段５に進む。
ここで、バッファ３において、入力される音声信号に対して出力される音声信号は波形が相似若しくは合同の関係にあるから、分岐点２から増幅手段５へ流れる音声信号において、音声信号の再生内容の本質は一定状態が保たれており、音声信号が実質的に変化を受けるという事態は生じない。
【００２７】
又、バッファ３への入力前の音声信号は高インピーダンス入力となっていて、分岐点２から増幅手段６へ流れる音声信号の系統に影響を与えることが回避可能になっている。
他方、バッファ３からの出力後の音声信号は低インピーダンス出力となっていて、増幅手段５のボリューム８の操作による出力側の負荷変動を吸収する構成になっている。
【００２８】
従って、バッファ３でインピーダンス変換された音声信号の一方は、スーパーオーディオＣＤプレーヤ装置２１からの音声信号と同じ波形を保ったままで、且つ、増幅手段５において増幅率の変換のためにボリューム８を操作してその操作に対応して増幅部７が増幅作用を行っても、音声信号の他方つまり分岐点２からバッファ４に流れる音声信号に影響を与えることのないものになっている。
【００２９】
よって、結果的に、スーパーオーディオＣＤプレーヤ装置２１から送られた音声信号をヘッドホン３２を用いて聴いている者は、その聴いている際に、増幅手段５のボリューム８の操作を行っても、その操作によって変動を受けることはない。他方、スピーカ３１はスーパーオーディオＣＤプレーヤ装置２１からの音声信号に対応し且つ増幅手段５で増幅された音声を出力する。
【００３０】
他方、分岐点２で振り分けられた音声信号の他方は、増幅手段６の側へと進むが、バッファ４に入りインピーダンス変換をされた後、増幅手段６に進む。
ここで、バッファ４において、入力される音声信号に対して出力される音声信号は波形が相似若しくは合同の関係にあるから、分岐点２から増幅手段６へ流れる音声信号において、音声信号の再生内容の本質は一定状態が保たれており、音声信号が実質的に変化を受けるという事態は生じない。
【００３１】
又、バッファ４への入力前の音声信号は高インピーダンス入力となっていて、分岐点２から増幅手段５へ流れる音声信号の系統に影響を与えることが回避可能になっている。
他方、バッファ４からの出力後の音声信号は低インピーダンス出力となっていて、増幅手段６のボリューム１０の操作による出力側の負荷変動を吸収する構成になっている。
【００３２】
従って、バッファ４でインピーダンス変換された音声信号の一方は、スーパーオーディオＣＤプレーヤ装置２１からの音声信号と同じ波形を保ったままで、且つ、増幅手段６において増幅率の変換のためにボリューム１０を操作してその操作に対応して増幅部９が増幅作用を行っても、音声信号の他方つまり分岐点２からバッファ３に流れる音声信号に影響を与えることのないものになっている。
【００３３】
よって、結果的に、スーパーオーディオＣＤプレーヤ装置２１から送られた音声信号をスピーカ３１を用いて聴いている者は、その聴いている際に、増幅手段６のボリューム１０の操作を行っても、その操作によって変動を受けることはない。他方、ヘッドホン３２はスーパーオーディオＣＤプレーヤ装置２１からの音声信号に対応し且つ増幅手段６で増幅された音声を出力する。
【００３４】
音声信号加工装置１は、分岐点２と増幅手段５，６の間にバッファ３，４を介在して構成されているが、バッファ３，４の代わりに増幅手段であってもよい。
【００３５】
音声信号加工装置１は増幅手段５の後段にスピーカ３１が接続されているが、ヘッドホンであってもよく、スピーカ及びヘッドホンであってもよい。
音声信号加工装置１は、バッファ３，４の後段にそれぞれ一つの増幅手段５，６が接続されているが、所望により、複数の増幅手段が接続される構成であってもよい。  
【００３６】
音声信号加工装置１は、音声信号をスーパーオーディオＣＤプレーヤ装置２１から供給されているが、他に、ＣＤプレーヤ装置、ＤＶＤプレーヤ装置、チューナー等であってもよい。
【図面の簡単な説明】
【００３７】
【図１】この発明の実施の形態例の前段にスーパーオーディオＣＤプレーヤ装置を、後段にスピーカ及びヘッドホンをそれぞれ接続して使用するの構成を説明するブロック図である。
【図２】従来の技術を説明する図１相当図である。
【符号の説明】
【００３８】
１            音声信号加工装置
２            分岐点
３，４        バッファ
５，６        増幅手段
８、１０      ボリューム
２１          スーパーオーディオＣＤプレーヤ装置
３１          スピーカ
３２          ヘッドホン
【図１】
2006121595.tif 000003
【図２】
2006121595.tif 000004